(57)【要約】【課題】キャップを螺脱するときに、周壁と不正開封防止環を接続する薄肉脆弱ブリッジが確実に切断されやすく、キャップから分離した不正開封防止環が浮いたまま残ることがない不正開封防止付開封刃内蔵口栓を提供する。【解決手段】開封用筒体３００　を内蔵するスパウト１００　と不正開封防止環２３０　が周壁下端に薄肉脆弱ブリッジ２２２　で接続するキャップ２００　からなり、キャップの螺脱時に、薄肉脆弱ブリッジが破断されて不正開封防止環がキャップから分離し、スパウトに内蔵する下端に開封刃をもつ開封用筒体が降下して、封止フィルムを破断して容器を開封し、キャップの不正開封防止環の下端部内周面に等間隔で周方向へ複数個の咬合突部２３１　を設け、スパウトの注出筒の下方に設ける咬合リング１１２　下に、不正開封防止環の咬合突部間よりも幅狭の係止突部１１３　を咬合突部間に挿入可能に周方向へ複数個設ける。【選択図】図１
2004018024.tif 000002
【特許請求の範囲】
【請求項１】
液体用紙容器の注出位置に突設され、開封用筒体を内蔵するスパウトと、不正開封防止環が周壁の下端に薄肉脆弱ブリッジを介して接続し前記スパウトに螺着するキャップとからなり、前記キャップを螺脱方向へ回転させたときに、前記薄肉脆弱ブリッジが破断されて前記不正開封防止環が前記キャップから分離し、前記スパウトの注出筒内側に内蔵され下端に開封刃をもつ開封用筒体が、前記キャップの螺脱方向への回転にともなって降下して、下方に設けられている封止フィルムを破断して容器を開封する口栓において、前記キャップの不正開封防止環の下端部内周面に等間隔で周方向へ複数個の咬合突部を設け、前記スパウトの注出筒の下方に設ける咬合リング下に、前記キャップの不正開封防止環の咬合突部間よりも幅狭の係止突部を前記咬合突部間に挿入可能に等間隔で周方向へ複数個設けたことを特徴とする不正開封防止付開封刃内蔵口栓。
【請求項２】
前記キャップの咬合突部と前記スパウトの咬合リングとの嵌合代を、径寸法で０．６〜１．４ｍｍにしたことを特徴とする請求項１記載の不正開封防止付開封刃内蔵口栓。
【請求項３】
前記キャップの咬合突部の両端を水平断面が直線状の垂直面に形成し、前記スパウトの係止突部の前記キャップの螺着時に前記キャップの咬合突部と当接する側を水平断面が円弧状の垂直面に形成し、前記キャップの螺脱時に前記キャップの咬合突部と当接する側を水平断面が直線状の垂直面に形成したことを特徴とする請求項１又は２記載の不正開封防止付開封刃内蔵口栓。
【請求項４】
前記スパウトの係止突部の垂直方向の長さを、前記キャップの咬合突部の上面と前記スパウトの咬合リングの下面との隙間の±０．３ｍｍにしたことを特徴とする請求項１乃至３記載の不正開封防止付開封刃内蔵口栓。
【発明の詳細な説明】
【０００１】
【発明の属する技術分野】
本発明は、清酒、果汁飲料、調味料、柔軟剤や液体洗剤などに使用される液体用紙容器の頂部に突設される不正開封防止付開封刃内蔵口栓に関するものである。
【０００２】
【従来の技術】
従来、液体用紙容器（２０）には、例えば図４（ａ）に示すように、四角柱状の胴部（２１）をもち、その切妻屋根形の頂部傾斜板（２２）には、注出のし易さから開封刃内蔵口栓（１０）が突設されたものが広い商品分野において使用されてきた。この開封刃内蔵口栓（１０）には、図４（ｂ）に示すように、下端に複数の三角状の開封刃（３１０）を欠刃部（３１１）を設けて並設した開封用筒体（３００）をスパウト（１００）（注出口具）の注出筒（１１０）内側に下降可能に内蔵し、スパウトに螺着したキャップ（２００）を螺脱方向へ回転させたときに、キャップの天板の中央位置に垂設されたガイド用内筒の外周面に設けられた螺旋状の摺接案内傾斜面と、開封用筒体の内周面に設けられた螺旋状の摺接案内傾斜面との摺接によって、開封用筒体（３００）を降下させ、この開封用筒体の下端に設けられた開封刃（３１０）で液体用紙容器を封止する封止フィルム（４００）を破断して開口するものが知られていた。また、図３に示すように、上述のキャップ（２００）の周壁（２２０）の下端に薄肉脆弱ブリッジ（２２２）を介して下端部内周面に複数個の咬合突部（２３１）を周方向に設けた不正開封防止環（２３０）を接続し、スパウト（１００）の注出筒（１１０）の下方にキャップの咬合突部（２３１）と咬合する咬合リング（１１２）を設けて、不正に容器を開封しようとしてキャップを螺脱方向へ回転すると、薄肉脆弱ブリッジが切断されて不正開封防止環がキャップから分離し、不正に開封されたことが判明する不正開封防止付開封刃内蔵口栓（１０）が知られていた。なお、図４（ｂ）に示す開封用筒体（３００）の下端に欠刃部（３１１）を設けて開封刃（３１０）を並設するのは、封止フィルムの破断片（４０１）が内容物（３０）中に落下しないようにするためである。そして、この開封刃内蔵口栓には、スパウトの下面に封止フィルムを熱融着して注出筒の下部開口部を封止した口栓を、液体用紙容器の口栓取付孔に注出筒を突出させて、フランジの上面を容器の内面に熱融着して取り付ける内付けのものと、図６（ａ）に示すように、液体用紙容器（２０）の封止フィルム（４００）で封止した注出孔（２３）の外周縁部上面に、スパウト（１００）のフランジ（１２０）の下面を熱融着して取り付ける外付けのものとがある。
【０００３】
【発明が解決しようとする課題】
ところで、上述の従来の不正開封防止付開封刃内蔵口栓においては、キャップを螺脱方向へ回転して、キャップを上昇させたときに、キャップの不正開封防止環の咬合突部の上面がスパウトの咬合リングの下面に当接して、キャップの上昇力によってキャップの周壁と不正開封防止環を接続する薄肉脆弱ブリッジが切断されるものであるが、キャップをスパウトに螺着しやすくするために、キャップの不正開封防止環の咬合突部とスパウトの咬合リングとの嵌合代を小さくすると、不正開封防止環の咬合突部がスパウトの咬合リング上に乗り上げて、薄肉脆弱ブリッジが切断されても切断後に不正開封防止環が浮いたまま残ったり、また、薄肉脆弱ブリッジが切断されにくいことなどがあった。
【０００４】
本発明は、上述の従来の不正開封防止付開封刃内蔵口栓の問題を解決したものであり、キャップを螺脱方向へ回転したときに、周壁と不正開封防止環を接続する薄肉脆弱ブリッジが確実に切断されやすく、また、キャップと分離した不正開封防止環が浮いたまま残ることがない不正開封防止付開封刃内蔵口栓を提供するものである。
【０００５】
【課題を解決するための手段】
すなわち、本発明の第１の発明は、液体用紙容器の注出位置に突設され、開封用筒体を内蔵するスパウトと、不正開封防止環が周壁の下端に薄肉脆弱ブリッジを介して接続し前記スパウトに螺着するキャップとからなり、前記キャップを螺脱方向へ回転させたときに、前記薄肉脆弱ブリッジが破断されて前記不正開封防止環が前記キャップから分離し、前記スパウトの注出筒内側に内蔵され下端に開封刃をもつ開封用筒体が、前記キャップの螺脱方向への回転にともなって降下して、下方に設けられている封止フィルムを破断して容器を開封する口栓において、前記キャップの不正開封防止環の下端部内周面に等間隔で周方向へ複数個の咬合突部を設け、前記スパウトの注出筒の下方に設ける咬合リング下に、前記キャップの不正開封防止環の咬合突部間よりも幅狭の係止突部を前記咬合突部間に挿入可能に等間隔で周方向へ複数個設けたことを特徴とする不正開封防止付開封刃内蔵口栓である。
【０００６】
次に、本発明の第２の発明は、前記キャップの咬合突部と前記スパウトの咬合リングとの嵌合代を、径寸法で０．６〜１．４ｍｍにしたことを特徴とする第１の発明に記載の不正開封防止付開封刃内蔵口栓である。
【０００７】
次に、本発明の第３の発明は、前記キャップの咬合突部の両端を水平断面が直線状の垂直面に形成し、前記スパウトの係止突部の前記キャップの螺着時に前記キャップの咬合突部と当接する側を水平断面が円弧状の垂直面に形成し、前記キャップの螺脱時に前記キャップの咬合突部と当接する側を水平断面が直線状の垂直面に形成したことを特徴とする第１又は第２の発明に記載の不正開封防止付開封刃内蔵口栓である。
【０００８】
そして、本発明の第４の発明は、前記スパウトの係止突部の垂直方向の長さを、前記キャップの咬合突部の上面と前記スパウトの咬合リングの下面との隙間の±０．３ｍｍにしたことを特徴とする第１乃至第３の発明に記載の不正開封防止付開封刃内蔵口栓である。
【０００９】
【発明の実施の形態】
次に、本発明の不正開封防止付開封刃内蔵口栓の実施の形態について、図を用いて詳細に説明する。
図１は、本発明の一実施形態の不正開封防止付開封刃内蔵口栓の断面図であり、図２は、キャップの不正防止環に設ける咬合突部及びスパウトの注出筒の咬合リング下に設ける係止突部の形状を示すＡ−Ａ’断面図である。
【００１０】
本発明の一実施形態の不正開封防止付開封刃内蔵口栓（１０）は、図１に示すように、下端に開封刃（３１０）をもつ開封用筒体（３００）を移動可能に内蔵するスパウト（１００）とこのスパウトに螺着するキャップ（２００）とからなり、キャップは、周壁（２２０）下端に複数の薄肉脆弱ブリッジ（２２３）を介して下端内周面に咬合突部（２３１）をもつ不正開封防止環（２３０）を接続し、天板（２１０）下面中央部に開封用筒体を下降させる相対向する通常２個の摺接案内傾斜面（２４１）を周方向へ等間隔で外周面に設けたガイド用内筒（２４０）を垂設し、また、天板（２１０）下面には必要に応じた、例えばコンタクト封止リング（２１１）やインナー封止リング（２１２）などの封止リングを設け、周壁（２２０）の内周面には、螺合部（２２１）を形成するものである。そして、開封用筒体（３００）は、キャップの摺接案内傾斜面（２４１）に対応させて２個の摺接案内傾斜面（３０１）を周方向へ等間隔で内周面に設け、外周面上端部に通常４個の摺動突起（３２０）を周方向へ等間隔に設け、スパウト（１００）は、注出筒（１１０）の内周面に、開封用筒体の摺動突起に対応させた通常８個の摺接縦リブ（１３０）を周方向へ等間隔に設け、外周面の螺合部（１１１）の下方に、キャップの不正開封防止環の咬合突部（２３１）が咬合する咬合リング（１１２）を設けるものである。そして、図１及び図２に示すように、キャップ（２００）の不正開封防止環（２３０）の下端部内周面に等間隔で周方向へ通常８個の咬合突部（２３１）を設け、スパウト（１００）の注出筒（１１０）の下方に設ける咬合リング（１１２）下に、キャップの不正開封防止環の咬合突部間よりも幅狭の係止突部（１１３）を、咬合突部間に挿入可能に等間隔で周方向へ通常２個又は４個設けるものである。
【００１１】
上述のキャップの咬合突部とスパウトの咬合リングとの嵌合代は、径寸法で０．６〜１．４ｍｍにするものである。０．６ｍｍより小さい場合には、薄肉脆弱ブリッジが破断されずにキャップの咬合突部がスパウトの咬合リングを乗り越えてしまいことがあり、１．４ｍｍより大きい場合には、キャップをスパウトに螺着するきに、キャップの咬合突部がスパウトの咬合リングを乗り越えることができないことがある。
【００１２】
また、図２に示すように、キャップ（２００）の不正開封防止環（２３０）の下端部内周面に設ける咬合突部（２３１）の形状は、両端を水平断面が直線状の垂直面に形成するものである。また、スパウト（１００）の注出筒（１１０）の外周面の咬合リング（１１２）下に設ける係止突部（１１３）の形状は、キャップの螺着時（矢印左側）にキャップの咬合突部と当接する側を水平断面が円弧状の垂直面に形成し、キャップの螺脱時（矢印右側）にキャップの咬合突部と当接する側を水平断面が直線状の垂直面に形成するものである。
【００１３】
また、図１に示すように、スパウト（１００）の係止突部（１１３）の垂直方向の長さは、キャップ（２００）の咬合突部（２３１）の上面とスパウトの咬合リング（１１２）の下面との隙間の±０．３ｍｍにするものである。０．３ｍｍ以上大きくした場合には、キャップをスパウトに螺着するときの抵抗が大きくなり、０．３ｍｍ以上小さい場合には、キャップをスパウトから螺脱するときに、係止突部の不正開封防止環に対する係止効果が小さくなり、薄肉脆弱ブリッジの確実な破断がしにくくなる。
【００１４】
液体用紙容器の頂部に取り付けられた未開封の本実施形態の不正開封防止付開封刃内蔵口栓は、キャップを螺脱方向へ回転させると、キャップが上昇しながら、キャップの不正開封防止環の下端内周面に設けられている咬合突部の片側面が容器に固着するスパウトの咬合リング下に設けられている係止突部の片側面に当接し、不正開封防止環が係止状態になる。このため、さらにキャップを螺脱方向へ回転させると、キャップの周壁と不正開封防止環とを接続している薄肉脆弱ブリッジが、キャップの回転力と上昇力とにより切断される。このとき、キャップの不正開封防止環の咬合突部のスパウトの係止突部と当接する面は、水平断面が直線状の垂直面であり、また、スパウトの係止突部のキャップの不正開封防止環の咬合突部と当接する面は、水平断面が直線状の垂直面でるため、不正開封防止環の係止が確実に行われ、従って、キャップの薄肉脆弱ブリッジの切断も確実に行われる。また、不正開封防止環の咬合突部がスパウトの咬合リング上に乗り上げて浮いた状態になることがない。
【００１５】
なお、スパウトの注出筒にキャップを螺着方向へ回転させて装着するときは、キャップの不正開封防止環の下端内周面に設けられている咬合突部の片側面が　スパウトの咬合リング下に設けられている係止突部に当接しても、スパウトの係止突部のキャップの咬合突部と当接する面が、水平断面が円弧状の垂直面であるため、キャップの咬合突部のスパウトの係止突部と当接する面が水平断面が直線状の垂直面であっても、キャップの咬合突部がスパウトの係止突部を容易に乗り越えることができる。
【００１６】
【発明の効果】
本発明の不正開封防止付開封刃内蔵口栓は、スパウトの注出筒の下方に設ける咬合リング下に、キャップの不正開封防止環の咬合突部間よりも幅狭の係止突部をスパウトの咬合突部間に挿入可能に複数個設てあり、キャップを螺脱方向へ回転したときに、周壁と不正開封防止環を接続する薄肉脆弱ブリッジが確実に切断されやすく、また、キャップと分離した不正開封防止環が浮いたまま残ることがない。
【図面の簡単な説明】
【図１】本発明の一実施形態の不正開封防止付開封刃内蔵口栓の断面図である。
【図２】本発明の一実施形態の不正開封防止付開封刃内蔵口栓のキャップの不正防止環に設ける咬合突部及びスパウトの注出筒の咬合リング下に設ける係止突部の形状を示すＡ−Ａ’断面図である。
【図３】従来の一例の不正開封防止付開封刃内蔵口栓の断面図である。
【図４】（ａ）は、一例の開封刃内蔵口栓を取り付けた液体用紙容器の開封前の状態を示す説明図であり、（ｂ）は、開封したときの状態を示すを示すＡ−Ａ’断面図である。
【符号の説明】
１０……開封刃内蔵口栓
２０……液体用紙容器
２１……胴部
２２……頂部傾斜板
２３……注出孔
３０……内容物
１００……スパウト
１１０……注出筒
１１１，２２１……螺合部
１１２……咬合リング
１１３……係止突部
１２０……フランジ
１３０……摺接縦リブ
１４０……摺接溝
２００……キャップ
２１０……天板
２１１……コンタクト封止リング
２１２……インナー封止リング
２２０……周壁
２２２……薄肉脆弱ブリッジ
２３０……不正開封防止環
２３１……咬合突部
２４０……ガイド用内筒
２４１，３０１……摺接案内傾斜面
３００……開封用筒体
３１０……開封刃
３１１……欠刃部
３２０……摺動突起
４００……封止フィルム
４０１……破断片
【図１】
2004018024.tif 000003
【図２】
2004018024.tif 000004
【図３】
2004018024.tif 000005
【図４】
2004018024.tif 000006